(57)【特許請求の範囲】
【請求項１】
複数の表示が設けられた表示部材と、
上記表示部材の各表示に沿って移動可能に設けられて表示を指し示す指示部材と、
上記指示部材を移動操作するための操作子を有する操作手段と、
上記指示部材の移動方向と平行に移動操作可能に設けられて上記表示部材の任意の表示に対応する位置に保持される目印部材とを備え、
上記指示部材及び上記目印部材には、互いに当接する当接部がそれぞれ形成され、
上記指示部材及び上記目印部材の各当接部は、相対係合可能とされる係合突起及び係合溝とを有する電子機器。
【請求項２】
上記表示部材には、放送電波の各周波数の表示が設けられた請求項１に記載の電子機器。
【請求項３】
上記目印部材には、外部に臨む位置に突起が形成された請求項１に記載の電子機器。
【請求項４】
上記電子機器は、外部に突出して設けられた突出片を有し、上記指示部材と一体的に移動される補助部材と備える請求項１に記載の電子機器。
【請求項５】
上記電子機器には、上記目印部材の移動領域に亘って、上記目印部材の位置を示す表示が設けられる請求項１に記載の電子機器。
【発明の詳細な説明】
【０００１】
【発明の属する技術分野】
本発明は、例えば表示板に対して移動されて表示を指し示す指針を有する表示部を備える電子機器に関する。
【０００２】
【従来の技術】
従来、電子機器は、機器本体を覆う筐体の外周部に、機器本体を操作するための操作部と、機器本体の動作状態を表示する表示部とを備えている。
【０００３】
例えば、電子機器としてラジオ受信機は、放送電波の各周波数が表示された表示板と、この表示板に対して移動可能とされて同調された周波数を指し示す指針を有する表示部を備えている。
【０００４】
【発明が解決しようとする課題】
ところで、従来のラジオ受信機が備える表示部は、表示板に対して移動される指針が比較的小さいため、高齢者や視覚障害者にとって充分に位置を把握することが困難であった。
【０００５】
このため、従来のラジオ受信機には、表示板の任意の表示に対応する位置に保持される目印針を有する表示部を備えるものが提案されている。
【０００６】
しかしながら、このラジオ受信機は、目印針を目視して確認する必要があり、目印部材の位置に対して合わせるときに調整作業を何回か行うため、調整作業が煩雑であった。
【０００７】
また。完全に視力を失った盲人には、目印針の位置を把握することが困難であるという問題があった。
【０００８】
そこで、本発明は、目印部材が保持された位置に、指示部材を移動させることを容易且つ確実に行うことができる電子機器を提供することを目的とする。
【０００９】
【課題を解決するための手段】
上述した目的を達成するため、本発明に係る電子機器は、複数の表示が設けられた表示部材と、この表示部材の各表示に沿って移動可能に設けられて表示を指し示す指示部材と、この指示部材を移動操作する操作子を有する操作手段と、指示部材の移動方向と平行に移動操作可能に設けられて表示部材の任意の表示に対応する位置に保持される目印部材とを備える。そして、指示部材及び目印部材には、互いに当接する当接部がそれぞれ形成され、指示部材及び目印部材の各当接部は、相対係合可能とされる係合突起及び係合溝とを有する。
【００１０】
以上のように構成した電子機器は、所定の位置に保持された目印部材に対して指示部材が移動される際、目印部材に対応する位置に指示部材が移動されたときに、目印部材の当接部と指示部材の当接部とが当接する。このため、この電子機器は、目印部材の当接部と指示部材の当接部が当接することによって、操作子の操作力に対して抗力が生じるため、この抗力により目印部材が保持された位置を把握可能とされる。
【００１１】
【発明の実施の形態】
以下、本発明の具体的な実施形態について、携帯可能なラジオ受信機を図面を参照して説明する。
【００１２】
図１に示すように、ラジオ受信機１は、互いに組み合わされて機器本体を内部に収納する一組の正面側外筐６及び背面側外筐７とを有する筐体５を備えている。また、筐体５には、機器本体を保持するためのキャリングハンドル８が一体に形成されている。
【００１３】
このラジオ受信機１は、図１に示すように、音響を出力するスピーカ部９と、電源の入力状態や音量を操作するための操作部１０と、機器本体の同調周波数を表示する表示機構１１と、機器本体の同調周波数を切り替えるとともに表示機構１１を操作するためのダイヤル摘み１０１を有するダイヤル操作機構１２と、表示機構１１及び操作部１０を照明するための照明部１３とを備えている。
【００１４】
また、このラジオ受信機１は、図２に示すように、背面側外筐６に、機器本体に電力を供給する電池を収納する電池収納部１５と、イヤホンを収納するイヤホン収納部１６とを有している。
【００１５】
操作部１０は、図１に示すように、正面側外筐６の外周部に設けられており、電源の入力状態を切り替えるための切替えレバー２０と、スピーカ部の出力音量を調整する音量摘み２１と、放送局を選択して周波数を同調させるための選局釦群２３と、音質を切り替えるための音質切替えレバー２２と、電源を自動的に切断するためのタイマー釦２４とを有している。
【００１６】
表示機構１１は、図３に示すように、放送電波の同調周波数が表示された表示板３１と、この表示板３１を保護するための保護板３２と、表示板３１に対して図３中矢印ａ1 方向及びａ2 方向に移動可能に設けられた主指針３３と、この主指針３３と一体的に移動される副指針３４と、任意の同調周波数の同調位置の目印とするための目印針３５と、これら主指針３３及び副指針３４を移動するためのラック３６と、このラック３６を移動可能に支持するガイド部材３７とを有している。
【００１７】
表示板３１は、図３及び図４に示すように、略矩形を呈する平板状に形成されており、ガイド部材３７に支持されている。この表示板３１には、例えばＡＭ(amplitude modulation)やＦＭ(frequency modulation)放送等の放送電波の受信周波数の数字や文字がそれぞれ表示されている。また、この表示板３１には、ＴＶ放送の音声を受信するためにＴＶ放送の受信周波数が表示されている。なお、表示板３１は、図示しない表示切替え機構を操作することにより、ＡＭ放送、ＦＭ放送、ＴＶ放送の各表示にそれぞれ切り替えられる。
【００１８】
保護板３２は、図３に示すように、光透過性を有する樹脂材料により略矩形を呈する平板状に形成されており、正面側外筐６に形成された開口部４０に取り付けられている。
【００１９】
保護板３２の外周部には、表示板３１の周波数の表示領域に沿って、副指針３４を矢印ａ1 方向及びａ2 方向に移動可能とするための副指針用のガイドスリット４１が形成されている。また、保護板３２の外周部には、表示板３１の周波数の表示領域に沿って、副指針用のガイドスリット４１と対向する位置に、目印針を矢印ａ1 方向及びａ2 方向に移動可能とする目印針用のガイドスリット４２が形成されている。
【００２０】
この保護板３２の主面上には、図３に示すように、副指針３４が移動する副指針用のガイドスリット４１に沿って、表示板３１の周波数の表示領域の端部と、この表示領域を例えば２分割する位置に対応して、線状突起４４がそれぞれ設けられている。また、保護板３２の主面上には、各線状突起４４の間を更に等分割する位置に、点状突起４５がそれぞれ形成されている。したがって、この保護板３２は、線状突起４４及び点状突起４５に触れることにより、表示板３１の各周波数の位置を大まかに把握することが可能とされるとともに、隣接する副指針３４の位置を把握することが可能とされている。
【００２１】
また、保護板３２の主面には、図３に示すように、目印針３５が移動する目印針用のガイドスリット４２に沿って、表示板３１の周波数の表示領域を例えば１０分割する位置に、例えば数字等の補助用表示４７が設けられており、これら補助用表示４７によって目印針３５の位置や同調する位置等を簡易的に把握することが可能とされている。
【００２２】
主指針３３は、図３及び図４に示すように、例えば樹脂材料等の弾性を有する材料により断面略Ｌ字を呈する板状に形成されている。主指針３３は、基端部がラック３６に取り付けられており、先端部に周波数の位置を指し示す指示用溝５０が形成されている。
【００２３】
副指針３４は、図３及び図４に示すように、断面略Ｌ字を呈する板状に形成されており、基端部がラック３６に取り付けられている。副指針３４は、先端部に突出片５２が一体に突出形成されており、この突出片５２が副指針用のガイドスリット４１内に矢印ａ1 方向及びａ2 方向に移動可能に挿通されている。また、この突出片５２の先端には、突起５３が一体に形成されており、この突起５３に指先で触れることによって副指針３４の位置を把握することが可能とされている。
【００２４】
目印針３５は、図３及び図４に示すように、例えば樹脂材料等の弾性を有する材料により断面略Ｌ字を呈する板状に形成されている。目印針３５の基端部には、図４に示すように、主指針３３の位置に並ぶ位置に移動された際に、主指針３３の指示用溝５０に係合する係合突起５５が一体に形成されている。
【００２５】
目印針３５の先端部は、目印針用のガイドスリット４２内に矢印ａ1 方向及びａ2 方向に移動可能に挿通されており、目印針用のガイドスリット４２の長手方向に沿って形成されたガイド片５７に移動可能に支持される段部５８が形成されている。また、目印針３５の先端には、略々点状の突起６０が一体に形成されており、この突起６０に指先で触れることによって目印針３５の位置を把握することが可能とされている。
【００２６】
ラック３６は、図４及び図９に示すように、ダイヤル操作機構１２によって駆動力が伝達されるギヤ部６２が矢印ａ1 方向及びａ2 方向と平行に形成されている。ラック３６は、図４に示すように、主指針３３及び副指針３４をそれぞれ支持する支持片６３が一体に形成されており、この支持片６３に主指針３３及び副指針３４の各基端部が挿通されて取り付けられる取付け用スリット６５，６６がそれぞれ形成されている。また、このラック３６の支持片６０には、ガイド部材３７に移動可能に支持されるガイド片６８，６８がそれぞれ一体に突出形成されている。
【００２７】
ガイド部材３７は、図４に示すように、主指針３３の基端部が移動可能に挿通されるとともに、ラック３６のガイド片６８，６８が係合されてラック３６を移動可能に支持する第１のスリット７１と、副指針３４の基端部が移動可能に挿通される第２のスリット７２とが表示板３１の周波数の表示領域に亘ってそれぞれ形成されている。
【００２８】
また、ガイド部材３７には、図４に示すように、副指針３４の先端部を支持する支持片７３が形成されており、副指針３４の先端部が機器内方側に押し込まれたときに、副指針３４の先端部が支持片７３に当接することによって、副指針３４の脱落が防止されている。
【００２９】
なお、上述した表示機構１１は、表示板３１は黒地とされて主指針３３及び副指針３４、目印針３５が黄色とされるとともに、保護板３２に表示される補助用表示４７の数字が例えば黒地に黄色文字で表示されることにより、コントラストが比較的強い色調とされているため、高齢者や視覚障害者に対して視認性の向上が図られている。
【００３０】
上述したように、表示機構１１によれば、主指針３３と一体的に移動する副指針３４の突出片５２や突起５３を触ることにより、主指針３３の位置を視認することが困難とされる高齢者や視覚障害者であっても、主指針３３の位置を容易且つ確実に把握することができる。
【００３１】
また、この表示機構１１によれば、目印針３５を有することによって、所望の周波数に同調された主指針３３の位置に、目印針３５を移動させて停止させておくことにより、所望の周波数に再度同調させる操作を容易且つ確実に行うことができる。
【００３２】
また、この表示機構１１によれば、目印針３５が移動された位置を主指針３３が移動する際に、主指針３３と目印針３５とが係合することによる僅かな抗力を指先に感じることができるため、目印針３５の位置に確実に主指針３３の位置を合わせて、所望の周波数に同調させる操作を容易に行うことができる。
【００３３】
また、上述した表示機構１１は、主指針３３の先端部と目印針３５の先端部がそれぞれ弾性変位することによって、相対係合するように構成されたが、他の主指針及び目印針が弾性変位片を有する他の表示機構を図面を参照して説明する。なお、上述した表示機構と同一部材には、同一符号を付して説明を省略する。
【００３４】
図５及び図６に示すように、主指針８０は、例えば樹脂材料等の弾性を有する材料によって断面Ｌ字状に呈する板状に形成されている。主指針８０の先端部には、表示板３１に対向する先端部の面上に、内方に係合溝８３を構成する係合突起８４，８４がそれぞれ一体に突出形成されている。
【００３５】
図５及び図６に示すように、目印針８１は、例えば樹脂材料等の弾性を有する材料によって断面Ｌ字状に形成されている。目印針８１は、基端に、主指針８０の係合溝８３に係合する係合片８６が弾性変位可能に一体に形成されている。また、目印針８１には、基端部に、表示板３１の内周面を摺動する一対の弾性変位片８８，８８がそれぞれ一体に形成されている。また、目印針８１には、先端部に、略々点状の突起８９が形成されており、この突起８９に触れることによって、目印針８１の位置を把握することが可能とされている。
【００３６】
この表示機構は、目印針８１に対して主指針８０が移動操作された際に、目印針８１の弾性変位片８８，８８が弾性変位することによって、主指針８０の係合溝８３と目印針８１の係合片８６の先端との係合動作及び係合解除動作が容易に行うことができる。
【００３７】
したがって、この表示機構によれば、目印針８１に弾性変位片８８，８８が形成されることによって、主指針８０に対する係合動作及び係合解除動作の信頼性を向上するとともに、操作性を向上することができる。
【００３８】
また、上述した表示機構は、目印針３５に対応する位置に主指針３３が移動されたときに、目印針３５と主指針３３が係合するように構成されたが、目印針３５が独立して動作する他の表示機構について図面を参照して説明する。なお、上述した表示機構と同一部材には、同一符号を付して説明を省略する。
【００３９】
この表示機構が備える目印針９０は、図７に示すように、断面略Ｌ字状をなす板状に形成されており、基端部が、正面側外筐６に矢印ａ1 方向及びａ2 方向に形成されたガイド溝９１内に挿入されている。
【００４０】
目印針９０は、ガイド溝９１に平板状の保持板９２が、目印針９０の基端部を挟み込むように配設されることによって、正面側外筐６に移動可能に支持されている。また、この目印針９０には、先端に突起９３が一体に形成されており、この突起９３に触れることによって、目印針９０の位置を把握することが可能とされている。したがって、この表示機構によれば、目印針９０が矢印ａ1 方向及びａ2 方向に独立的に移動される。
【００４１】
つぎに、ダイヤル操作機構１２は、図１、図８及び図９に示すように、図１中矢印ｂ1 方向及びｂ2 方向に回転操作されるダイヤル摘み１０１と、このダイヤル摘み１０１に一端が一体に形成された操作軸１０２と、この操作軸１０２の他端に一端が空転可能に係合される駆動軸１０３と、これら操作軸１０２及び駆動軸１０３を回転可能に支持する軸受部材１０４と、駆動軸１０３を軸方向に付勢する圧縮コイルバネ１０５と、駆動軸１０３の回転駆動力が伝達される減速ギヤ１０６と、操作軸１０２の軸方向の位置を規制する位置規制部材１０７とを有している。
【００４２】
ダイヤル摘み１０１は、例えば樹脂材料によって一端が閉塞された略円筒形に形成されており、断面円弧状の保持用凹部１０９が外周に亘って形成されている。また、正面側外筐６の側面部には、ダイヤル摘み１０１の回転をガイドするガイド凹部１１０が形成されており、このガイド凹部１１０内にダイヤル摘み１０１の開口端が挿入されている。そして、このダイヤル摘み１０１は、筐体５に対して比較的大きく突出して設けられており、操作性の向上が図られている。
【００４３】
操作軸１０２は、円筒状に形成されており、他端の外周に沿って略Ｖ字状に係合溝１１２が複数形成されている。また、操作軸１０２の他端側には、位置規制部材１０７が係合される係合凹部１１３が外周部に亘って形成されている。
【００４４】
また、操作軸１０２には、外周部に、軸方向の位置を規制する複数の規制リブ１１４が、所定間隔をあけて放射状にそれぞれ一体に突出形成されている。
【００４５】
操作軸１０２は、規制リブ１１４が軸受部材１０４の一端部に当接されており、軸方向に押し込む外力に対して位置が規制されている。
【００４６】
駆動軸１０３は、操作軸１０２に軸方向を一致させて配設されている。駆動軸１０３は、一端に外周に沿って略Ｖ字状の係合突起１１５が複数形成されており、操作軸１０２の係合溝１１２にそれぞれ係合されている。この駆動軸１０３には、他端の外周に、減速ギヤ１０６に噛合されるギヤ部１１６が形成されている。また、駆動軸１０３には、他端に圧縮コイルバネ１０５の一端が挿入されるバネ収納凹部１１７が形成されている。
【００４７】
そして、操作軸１０２の係合溝１１２と駆動軸１０３の係合突起１１５は、いわゆる咬み合いクラッチとして機能して、操作軸１０２に回転方向の過負荷が作用したときに、過負荷によって係合溝１１２と係合突起１１５の係合状態が解除されて駆動軸１０３に対して操作軸１０２が空転するため、駆動軸１０３に過負荷が伝達されることが防止される。
【００４８】
軸受部材１０４は、操作軸１０２及び駆動軸１０３の軸方向に沿って形成されており、上述した表示機構１１のガイド部材と一体に形成されている。この軸受部材１０４は、図８に示すように、操作軸１０２を回転自在に支持する第１の軸受部１２１と、操作軸１０２と駆動軸１０３の係合部分を回転自在に支持する第２の軸受部１２２と、駆動軸１０３の他端側を回転自在に支持する第３の軸受部１２３と、駆動軸１０３の他端を圧縮コイルバネ１０５を介して回転自在に支持する第４の軸受部１２４とを有している。
【００４９】
軸受部材１０４には、第１の軸受部１２１と第２の軸受部１２２との間に、操作軸１０２に対して係合される位置規制部材１０７が挿通される挿通用間隙１２５が形成されており、この挿入用間隙１２５に対向する位置に、位置規制部材１０７が係合される係合溝１２７が形成されている。また、第４の軸受部１２４には、圧縮コイルバネ１０５の他端が挿入されるバネ挿入用凹部１２９が形成されている。
【００５０】
圧縮コイルバネ１０５は、図８に示すように、一端が操作軸１０２のバネ挿入用凹部１１７内に挿入されるとともに、他端が軸受部材１０４の第４の軸受部１２４のバネ挿入用凹部１２９内に挿入されている。圧縮コイルバネ１０５は、弾性力によって、操作軸１０２の係合溝１１２に駆動軸１０３の係合突起１１５を係合させるように駆動軸１０３を軸方向に押圧している。
【００５１】
なお、このダイヤル操作機構１２は、操作軸１０２の係合溝１１２に対して駆動軸１０３の係合突起１１５を軸方向に押圧する圧縮コイルバネ１０５の弾性力を適宜変更することによって、回転方向の過負荷により操作軸１０２と駆動軸１０３の係合状態が解除されて空転を開始する限界トルクを容易且つ確実に設定することが可能とされる。
【００５２】
減速ギヤ１０６は、図８及び図９に示すように、平歯車と冠歯車が一体に形成されており、駆動軸１０３のギヤ部１１６に噛合された第１のギヤ部１３１と、表示機構１１に駆動力を伝達する第２のギヤ部１３２とを有している。また、この減速ギヤ１０６は、図８及び図９に示すように、中央部にボス部１３４が形成されており、このボス部１３４に機器本体の電子回路基板１３８上に配設された周波数切替えスイッチ１３６の回動操作子１３７に固定されている。したがって、減速ギヤ１０６は、周波数切替えスイッチ１３６に回転可能に支持されている。減速ギヤ１０６は、駆動軸１０３の回動量が減速されて伝達されて、回動操作子１３７を回転させることにより、この回動操作子１３７の回転量に応じて周波数が連続的に切り替えられる。
【００５３】
位置規制部材１０７は、図８に示すように、平板状に形成されており、操作軸１０２の係合凹部１１３に係合する略Ｕ字状の切り欠き部１４１が形成されている。また、位置規制部材１０７は、軸受部材１０４の係合溝１２７に係合する係合爪１４２が先端に形成されており、操作軸１０２の係合凹部１４２内に切り欠き部１４１が係合されるとともに、係合爪１４２が軸受部材１０４に係合されることによって、操作軸１０２が軸方向に移動することを確実に規制している。したがって、この位置規制部材１０７は、操作軸１０２を軸方向に抜き取る力が作用した際の脱落を確実に防止している。
【００５４】
以上のように構成されたダイヤル操作機構１２について、ダイヤル摘み１０１を回転操作することにより、表示機構１１の主指針３３及び副指針３４を移動する動作を図面を参照して説明する。
【００５５】
ダイヤル操作機構１２は、ダイヤル摘み１０１を例えば矢印ｂ1 方向に回転操作することにより、操作軸１０２が回転操作されて、駆動軸１０３が回転駆動される。ダイヤル操作機構１２は、駆動軸１０３が回転駆動されることによって、ギヤ部１１６が噛合された減速ギヤ１０６の第１のギヤ部１３１を回転駆動する
減速ギヤ１０６は、操作軸１０２の回動量が減速されて伝達される。
【００５６】
減速ギヤ１０６は、回転駆動されることによって、第２のギヤ部１３２が噛合されたラック１０６のギヤ部６２を移動させて、ラック１０６を図８中矢印ａ1 方向に移動させるとともに、周波数切替えスイッチ１３６の周波数を連続的に切り替える。
【００５７】
ラック１０６は、矢印ａ1 方向に移動されることによって、主指針３３及び副指針３４を矢印ａ1 方向に移動させる。ダイヤル操作機構１２は、ダイヤル操作子１０１を回転操作することにより、主指針３３及び副指針３４が、所望の周波数に同調された位置に停止される。
【００５８】
そして、このダイヤル操作機構１２は、ダイヤル摘み１０１を回転操作することにより主指針３３及び副指針３４が移動領域の一端側に突き当てられた状態で、ダイヤル摘み１０１が誤って更に回転操作された場合等に、操作軸１０２に回転方向の過負荷が作用する。しかしながら、このダイヤル操作機構１２によれば、操作軸１０２に過負荷が作用した際に、操作軸１０２と駆動軸１０３との係合状態が解除されて、駆動軸１０３に対して操作軸１０２が空転するため、表示機構１１に過負荷が伝達されることが防止されている。
【００５９】
つぎに、ラジオ受信機１が備える照明部１３について図面を参照して説明する。ラジオ受信機１は、図１及び図２に示すように、背面側外筐に、携帯するための略コ字状のキャリングハンドル８が一体に形成されており、このキャリングハンドル８内に照明部１３が配設されている。
【００６０】
照明部１３は、図１０、図１１及び図１２に示すように、光源である照明ランプ１５０と、この照明ランプ１５０を保持する保持部材１５１と、照明ランプ１５０を交換するための着脱用開口１５２と、この着脱用開口１５２に開閉可能に取り付けられる蓋体１５３と、照明ランプ１５０を点灯するための点灯釦１５４とを有している。
【００６１】
保護部材１５１は、光透過性を有する樹脂材料によって略矩形をなす平板状に形成されている。保護部材１５１は、図１０、図１１及び図１２に示すように、キャリングハンドル８の正面側の外周面に形成された矩形状の取付け用開口１５６に取り付けられている。この保護部材１５１には、図１３に示すように、機器内方に臨む面上に、照明ランプ１５０を間に挟み込んで保持する一対の保持片１５８，１５８が一体にそれぞれ突出形成されている。
【００６２】
着脱用開口１５２は、図２、図１１及び図１２に示すように、キャリングハンドル８の背面側の外周面に、照明ランプ１５０を挿脱するために十分な大きさに形成されている。また、キャリングハンドル８には、着脱用開口１５２の略中央に位置して、照明ランプ１５０の各接続線を分割して位置規制するための分割突板が一体に形成されている。
【００６３】
蓋体１５３は、図２及び図１２に示すように、略矩形をなす平板状に形成されており、一側端に、指先の爪等を係合させて開放操作するための溝１６３が形成されている。この蓋体１５３には、着脱用開口１５２に係合する係合爪１６４を有しており、この係合爪１６４を介して着脱用開口１５２に着脱可能に取り付けられている。
【００６４】
点灯釦１５４は、図１０及び図１２に示すように、正面側外筐６の外周部に、操作部１０の近傍に位置して配設されている。また、点灯釦１５４は、操作面に、外部からの光を蓄積する蓄光材１６６が配設されており、操作面が暗中で発光することが可能とされている。なお、点灯釦１５４の操作面には、蓄光塗料が塗布されることにより構成されてもよい。
【００６５】
また、点灯釦１５４は、点灯ランプ１５０によって照明される位置に配設されているため、暗中で照明ランプ１５０が点灯された際に、照明光を蓄光することができるため、暗中での発光時間を延長することが図られている。
【００６６】
なお、上述した保護部材１５１は、一対の保持片１５８，１５８を有する構成とされたが、例えば図１４に示す他の保護部材１６８のように、照明ランプ１５０を保持する角筒状の保持部１６９が一体に形成されてもよい。この保護部材１６８は、保持部１６９の内周部に照明ランプ１５０が挿入されることにより照明ランプ１５０を保持する。
【００６７】
上述した照明部１３によれば、キャリングハンドル８の内部に配設されることによって、照明部１３を支持する支持部材を機器外部に取り付ける必要がなく、表示機構１１及ぶ操作部１０を容易且つ確実に照明することができる。また、この照明部１３によれば、ラジオ受信機全体の小型化を図ることが可能とされる。
【００６８】
なお、上述した照明部１３は、筐体５に固定されて設けられたキャリングハンドル８に配設される構成とされたが、筐体５に対して可動する構成とされたキャリングハンドルに配設されてもよい。照明部１３は、筐体５に対して可動することにより、更に広範囲を選択的に照明することが可能とされる。
【００６９】
つぎに、ラジオ受信機１が備える電池収納部１５について図面を参照して説明する。電池収納部１５は、図２及び図１５に示すように、背面側外筐７の底面に隣接する位置に設けられている。電池収納部１５は、図１５及び図１６に示すように、背面側外筐７に形成された収納用開口１７１を有する収納用凹部１７０と、この収納用凹部１７０の収納用開口１７１に対して開閉可能に設けられた蓋体１７２とを有している。
【００７０】
収納用開口１７１は、略矩形状に形成されており、一側端に、図１、図１５及び図１６に示すように、蓋体１７２を開閉操作するための指先が挿入される断面円弧状の開閉操作用凹部１７５が形成されている。
【００７１】
蓋体１７２には、図１５及び図１６に示すように、略矩形をなす平板状に形成されており、一端部に設けられた支軸を介して背面側外筐７に対して回動可能に支持されている。この蓋体１７２には、図１６及び図１７に示すように、機器内方に臨む面上に、略矩形をなす箱状の電池装着部１７７が一体に形成されている。この電池装着部１７７には、複数の円筒型の電池１７８が、所定の配列且つ所定の各電池１７８の電極の向きとされてそれぞれ装着される。
【００７２】
また、蓋体１７２には、図１６に示すように、電池装着部１７７の外周部に、開閉操作用凹部１７５に対応する断面円弧状の開閉操作用凹部１８０が形成されており、この開閉操作用凹部１８０内に、収納用凹部１７０と係合する係合爪１８２を有する弾性変位片１８１が一体に形成されている。蓋体１７２は、収納用開口１７１に対して閉塞された際に、弾性変位片１８１が弾性変位することにより、収納用開口１７１に形成された係合溝（図示せず）に係合爪１８２が係合されて閉塞状態が保持される。
【００７３】
そして、この蓋体１７２には、図２及び図１５に示すように、外周面に、電池装着部１７７に装着される電池１７８の仕様が例えば単１型であるか単２型であるか等を識別するための円形状の第１の識別部１８５が形成されている。
【００７４】
この第１の識別部１８５は、図１５及び図１７に示すように、電池１７８の電極が形成された端面の形状の大きさに略等しい直径を有する凹部に形成されており、この凹部内に電池１７８の端部を挿入することによって、電池装着部１７７に装着される電池１７８の仕様を確実に識別するとともに、この電池１７８の端面の大きさを把握することができる。また、第１の識別部１８５の底面には、適用される電池１７８の仕様及び数量を示す文字や数字が表示されている。
【００７５】
また、蓋体１７２には、図２及び図１５に示すように、外周面に、電池装着部１７７に装着された状態の各電池１７８の配列と、各電池１７８の各電極の向きと、電池１７８の長さ方向の外形をそれぞれ識別するための第２の識別部１８６が形成されている。
【００７６】
この第２の識別部１８６は、図２及び図１５に示すように、電池装着部１７７に装着される電池１７８の長さ方向の外形寸法と略等しい大きさとされるとともに、各電極の向きとされた実寸大の図形が溝によって形成されている。また、この第２の識別部１８６は、電池装着部１７７に装着される状態の各電池１７８の配列とされた複数の図形が溝によって形成されている。
【００７７】
この第２の識別部１８６は、図形に電池を重ね合わせる等の比較を行うことによって、電池装着部１７７に装着される電池１７８の仕様を確実に識別するとともに、この電池１７８の外形の形状、大きさを把握することができる。
【００７８】
なお、上述した第１の識別部１８５は、蓋体１７２の外周面上に形成された凹部によって構成されたが、例えば図１８に示すように、筐体５の外周面上に円環状の突部１８８を立設することによって、この突部１８８の内周部に凹部を構成してもよい。
【００７９】
上述した電池収納部１５によれば、蓋体１７２の外周面に第１の識別部１８５が形成されたことによって、高齢者や視覚障害者であっても、収納される電池１７８の仕様及び端面の形状、大きさを把握することができる。
【００８０】
また、この電池収納部１５によれば、蓋体１７２の外周面に第２の識別部１８６が形成されたことによって、高齢者や視覚障害者であっても、収納される各電池１７８の配列、各電極の向きを確実に識別することができるとともに、収納される電池１７８の外形の形状、大きさを把握することができる。
【００８１】
なお、上述した電池収納部１５には、円筒型電池が収納される構成として、円形状の第１の識別部１８５が形成されたが、例えば、釦型電池や平型電池、角型電池、非円形の電池等の他各種形状の電池が適用されても良く、適用される電池の端面の形状の大きさに略等しい識別部が形成される。
【００８２】
また、ラジオ受信機１が備えるイヤホン収納部１６は、図２に示すように、イヤホンが収納される収納用開口１９１を有する収納用凹部と、この収納用凹部の収納用開口１９１に開閉可能に設けられた蓋体１９２とを有している。
【００８３】
収納用凹部は、筐体５の背面側に設けられており、背面側外筐７に、略矩形状の収納用開口１９１が形成されている。
【００８４】
蓋体１９２は、図２に示すように、略矩形をなす板状に形成されており、一端部に設けられた支軸（図示せず）を介して、収納用凹部に対して開閉可能に設けられている。この蓋体１９２には、図示しないが、機器内方に臨む面に、イヤホンが収納される略矩形状をなす箱状の収納容器が一体に形成されている。蓋体１９２には、外周面に、収納用凹部に対して開放操作するための指先が挿入される略円形状の開閉操作用開口１９５が形成されている。この蓋体１９２には、開閉操作用開口１９５内に、開閉操作する際に指先が収納容器内に挿通されることを防止するための断面円弧状の防止部１９６が、内方に向かって膨出して一体に形成されている。
【００８５】
【発明の効果】
上述したように本発明に係る電子機器によれば、所定の位置に保持された目印部材に対して指示部材が移動される際、目印部材に対応する位置に指示部材が移動されたときに、目印部材の当接部と指示部材の当接部が当接して操作子に抗力が生じるため、目印部材が保持された位置を容易且つ確実に把握することができる。
【図面の簡単な説明】
【図１】本発明に係るラジオ受信機を示す斜視図である。
【図２】上記ラジオ受信機を示す背面図である。
【図３】上記ラジオ受信機が備える表示機構を示す平面図である。
【図４】上記表示機構を示す断面図である。
【図５】他の主指針及び目印針を示す断面図である。
【図６】他の主指針及び目印針を示す側面図である。
【図７】更に他の目印針を示す縦断面図である。
【図８】上記ラジオ受信機が備えるダイヤル操作機構を示す断面図である。
【図９】上記ダイヤル操作機構を示す側面図である。
【図１０】上記ラジオ受信機が備える照明部を示す正面図である。
【図１１】上記照明部を示す背面図である。
【図１２】上記照明部を示す断面図である。
【図１３】上記照明部が有する保護部材を示す斜視図である。
【図１４】他の保護部材を示す側面図である。
【図１５】上記ラジオ受信機が備える電池収納部を示す斜視図である。
【図１６】上記電池収納部の蓋体が開放された状態を示す斜視図である。
【図１７】上記蓋体を示す断面図である。
【図１８】他の蓋体を示す断面図である。
【符号の説明】
１  ラジオ装置、１１  表示機構、１２  ダイヤル操作機構、３１  表示板、３３  主指針、３４  副指針、３５  目印針、５０  指示用溝、５５  係合突起
【図１】
0004285591.tif 000002
【図２】
0004285591.tif 000003
【図３】
0004285591.tif 000004
【図４】
0004285591.tif 000005
【図５】
0004285591.tif 000006
【図６】
0004285591.tif 000007
【図７】
0004285591.tif 000008
【図８】
0004285591.tif 000009
【図９】
0004285591.tif 000010
【図１０】
0004285591.tif 000011
【図１１】
0004285591.tif 000012
【図１２】
0004285591.tif 000013
【図１３】
0004285591.tif 000014
【図１４】
0004285591.tif 000015
【図１５】
0004285591.tif 000016
【図１６】
0004285591.tif 000017
【図１７】
0004285591.tif 000018
【図１８】
0004285591.tif 000019